(57)【要約】【課題】電気掃除機用吸込み具が接続されるホースの端部の内径寸法や形状が異なっても、確実に取り付けることが出来る電気掃除機用吸込み具を提供する。【解決手段】一端に吸込み口２を、他端に、電気掃除機（図示せず）のホース（図示せず）などの端部（図示せず）に接続するための接続口３を備え、前記接続口３に弾性を有する材料で形成した接続部４を設けたもので、電気掃除機用吸込み具１が接続されるホースなどの端部の内径寸法や形状が異なっていても弾性を有する材料で形成された接続部４が内径寸法に対応して変形し、確実に取り付けることが出来る。【選択図】図１
2010046169.tif 000002
【特許請求の範囲】
【請求項１】
一端に吸込み口を、他端に、電気掃除機のホースなどの端部に接続するための接続口を備え、前記接続口に弾性を有する材料で形成した接続部を設けた電気掃除機用吸込み具。
【請求項２】
接続部を、可とう性を有するゴム剤で形成した請求項１に記載の電気掃除機用吸込み具。
【請求項３】
接続部を、ばね性を有する金属部材で構成した請求項１に記載の電気掃除機用吸込み具。
【請求項４】
接続部と接続口との間に補助吸込み口を形成した請求項１〜３のいずれか１項に記載の電気掃除機用吸込み具。
【請求項５】
請求項１〜４のいずれか１項に記載された電気掃除機用吸込み具を備えた電気掃除機。
【発明の詳細な説明】
【技術分野】
【０００１】
本発明は、電気掃除機用吸込み具並びにそれを用いた電気掃除機に関するものである。
【背景技術】
【０００２】
従来の電気掃除機用吸込み具で、特に隙間掃除用の電気掃除機用吸込み具としては、ホースの先端等に取り付けるものがある（例えば、特許文献１参照）。
【０００３】
図６は、上記特許文献１に開示された従来の電気掃除機用吸込み具の斜視図で、図に示すように従来の電気掃除機用吸込み具３１は、一端に接続口３２を、他端側に吸込み口３３をそれぞれ有し、接続口３２と吸込み口３３との間に補助吸込み口３４を形成していた。接続口３２は掃除機本体（図示せず）に接続するホース（図示せず）の先端パイプ側等（図示せず）に確実に取り付けるように樹脂などの硬い材料で略円筒状に構成されている。
【特許文献１】特開２００５−１１０９０８号公報
【発明の開示】
【発明が解決しようとする課題】
【０００４】
しかしながら、上記従来の電気掃除機用吸込み具の構成では、ホースの先端パイプ（図５、符号２０参照）などに確実に取り付けるように樹脂などの硬い材料で略円筒状に構成されているので、ホースの先端部の内径寸法や形状が異なる電気掃除機には取り付けができず電気掃除機用吸込み具が使用できなくなるという課題を有していた。
【０００５】
本発明は、前記従来の課題を解決するもので、ホースの先端部の内径寸法や形状が異なる場合でも、確実に取り付けることが出来る電気掃除機用吸込み具及びそれを用いた電気掃除機を提供することを目的とする。
【課題を解決するための手段】
【０００６】
前記従来の課題を解決するために本発明の電気掃除機用吸込み具は、一端に吸込み口を、他端に、電気掃除機のホースなどの端部に接続するための接続口を備え、前記接続口に弾性を有する材料で形成した接続部を設けたもので、電気掃除機用吸込み具が接続されるホースなどの端部の内径寸法や形状が異なっていても弾性を有する材料で形成された接続部が内径寸法に対応して変形し、確実に取り付けることが出来る。
【０００７】
また、本発明の電気掃除機は、請求項１〜４のいずれか１項に記載された電気掃除機用吸込み具を電気掃除機に備えたもので、非常に使い勝手の良い電気掃除機を提供することができる。
【発明の効果】
【０００８】
本発明の電気掃除機用吸込み具は、ホースの先端部の内径寸法や形状が異なる電気掃除機に使用する場合でも、弾性を利用して接続部が内径寸法に対応して変形し、確実に取り付けることが出来る。
【発明を実施するための最良の形態】
【０００９】
第１の発明は、一端に吸込み口を、他端に、電気掃除機のホースなどの端部に接続するための接続口を備え、前記接続口に弾性を有する材料で形成した接続部を設けたもので、電気掃除機用吸込み具が接続されるホースなどの端部の内径寸法や形状が異なっていても弾性を有する材料で形成された接続部が内径寸法に対応して変形し、確実に取り付けることが出来る。
【００１０】
第２の発明は、特に、第１の発明の接続部を、可とう性を有するゴム剤で形成したもので、ホースなどの端部の内径寸法や形状が異なる電気掃除機に取り付ける場合でも、より確実に取り付けることが出来る。
【００１１】
第３の発明は、特に、第１の発明の接続部を、ばね性を有する金属部材で構成したもので、ホースなどの端部の内径寸法や形状が異なる電気掃除機に取り付ける場合でも、より確実に取り付けることが出来る、且つ強度も向上し大きい寸法差に対応出来る。
【００１２】
第４の発明は、特に、第１〜３のいずれか一つの発明の接続部と接続口との間に補助吸込み口を形成したもので、吸込み口が、被掃除面や塵埃などでふさがれてしまった場合にも、補助吸込み口から空気が取り入れられるので、電気掃除機本体が密閉状態になるのを防ぎ、電動送風機に加わる負荷を低減することができ、また被掃除面に吸い付くことを防ぐこともでき、非常に使い勝手が良いものである。
【００１３】
第５の発明は、請求項１〜４のいずれか１項に記載された電気掃除機用吸込み具を電気掃除機に備えたもので、非常に使い勝手の良い電気掃除機を提供することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における電気掃除機用吸込み具の斜視図、図２は、同電気掃除機用吸込み具の断面図（図１のＡ−Ａ断面）、図３は、同電気掃除機用吸込み具の接続例を示す斜視図である。
【００１６】
図１、図２において、本実施の形態における電気掃除機用吸込み具１（以下吸込み具１という）は、その一端に吸込み口２を形成し、他端側に、掃除機本体（図示せず）に接続されたホース（図示せず）の先端部（図示せず）や延長管（図示せず）の端部に接続するための接続口３が形成されている。接続口３の外側には、一端が接続口３に一体的に取り付けられ、他端が解放している接続部４が取り付けられている。この接続部４は弾力性を有する様に構成されている。前記接続部４と接続口３との間には隙間Ｇが形成され、この隙間Ｇが、吸込み口２とは別の補助吸込み口５を形成するようにしている。
【００１７】
以下に、本実施の形態における電気掃除機用吸込み具の動作、作用を説明する。
【００１８】
図３は、本実施の形態における電気掃除機用吸込み具を、ホース（図示せず）の先端に取り付けられた先端パイプ２０に接続した例を示すもので、接続口３の外側に、弾性を有する接続部４の一端が取り付けられ、その接続部４の他端が開放しているので、先端パイプ２０の内径寸法や形状が多少異なっても、接続部４が撓んで、容易にしかも確実に接続することが出来る。また、電気掃除機用吸込み具１の先端の吸込み口２が被掃除面や塵埃などでふさがれてしまっても、接続部４と接続口３との間に形成された補助吸込み口５から空気が取り入れられるので、電気掃除機本体が、密閉状態になるのを防いで電動送風機（図示せず）に加わる負荷を低減することができると共に、被掃除面に吸い付くことを防ぐこともできるので使い勝手良く掃除ができる。
【００１９】
（実施の形態２）
図４は、本発明の第２の実施の形態における気掃除機用吸込み具の斜視図、図５は、同電気掃除機用吸込み具をホースの先端パイプに接続したときの側面断面図（ａ）及び、そのＢ−Ｂ断面図である。
【００２０】
図４、５において、本実施の形態における電気掃除機用吸込み具１１（以下「吸込み具１１」という）は、一端に吸込み口１２を形成し、他端側に、電気掃除機本体に接続するホースの先端に設けた先端パイプ２０などの先端部１７に接続するための接続口１３を形成している。接続口１３の後ろ側には、弾力性を有すると共に、一端が接続口１３に一体的に取り付けられ、他端が解放している接続部１４が取り付けられている。この接続部１４の一部には、外方に突出する凸部１６が設けられている。更に、接続部１４と接続口１３との間には、隙間Ｇを設けており、先端部１７に挿入すると、吸込み口１２とは別の補助吸込み口１５が形成される。
【００２１】
以上のように構成された本実施の形態における電気掃除機用吸込み具の動作、作用を説明する。
【００２２】
電気掃除機用吸込み具１１の接続口１３側に、弾性を有すると共に、一端が接続口１３に一体に形成され、他端が開放している接続部１４を設けたことで、先端パイプ２０の先端部１７の内径寸法や形状が異なる電気掃除機に取り付ける場合でも、接続部１４が先端部１７の内径寸法や形状に対応するように変形して確実に取り付けることが出来る。又、図５に示すように、電気掃除機用吸込み具１を、先端パイプ２０の先端部１７に取り付けて掃除作業をしているときに、掃除面に当たっても、接続部１４に設けた凸部１６を回動中心として、矢印Ａの様に回動できるので、掃除面に無理な力が加わらず傷つきを防止でき、使い勝手良く掃除ができる。
【００２３】
尚、上記実施の形態では、接続部４、１４の一端を接続口３、１３に一体に形成したが、接続部４、１４を、可とう性を有するゴム剤、ばね性を有する金属部材或いは、ばね性を有する樹脂部材などで形成し、その一端を接続口３、１３に固定するようにしても良い。
【産業上の利用可能性】
【００２４】
以上のように、本発明にかかる電気掃除機用吸込み具及びそれを用いた電気掃除機は、接続口に一体に形成された弾性を有する接続部を設けたことで、ホースの先端側の内径寸法や形状が異なる電気掃除機に使用する場合でも、確実に取り付けることが出来るもので業務用電気掃除機にも適用できる。
【図面の簡単な説明】
【００２５】
【図１】本発明の実施の形態１における電気掃除機用吸込み具の斜視図
【図２】図１のＡ−Ａ断面図
【図３】同電気掃除機用吸込み具の接続例を示す斜視図
【図４】本発明の実施の形態２における電気掃除機用吸込み具の斜視図
【図５】（ａ）同電気掃除機用吸込み具をホースの先端パイプに接続したときの側面断面図、（ｂ）（ａ）のＢ−Ｂ断面図
【図６】従来の電気掃除機用吸込み具の斜視図
【符号の説明】
【００２６】
１、１１  電気掃除機用吸込み具（吸込み具）
２、１２  吸込み口
３、１３  接続口
４、１４  接続部
５、１５  補助吸込み口
【図１】
2010046169.tif 000003
【図２】
2010046169.tif 000004
【図３】
2010046169.tif 000005
【図４】
2010046169.tif 000006
【図５】
2010046169.tif 000007
【図６】
2010046169.tif 000008